(57)【要約】本発明は、弧形放射線源ハウジングと、線管ブラケットと、複数の固定陽極放射線管と、複数のゲート制御スイッチとを含む弧形多焦点固定陽極ゲート制御放射線源を提供する。複数の固定陽極放射線管は、ブラケットを介して弧形放射線源ハウジングに固定される。複数の前記固定陽極放射線管の焦点は同一分布円に分布する。複数のゲート制御スイッチと複数の固定陽極放射線管が対応して連結される。前記複数の弧形多焦点固定陽極ゲート制御放射線源が接合して全輪構成になり、これによって、固定陽極放射線管全体の焦点を同一分布円に分布させる。上述した弧形多焦点固定陽極ゲート制御放射線源は、構成が簡単で、コストが低く、十分な強度の放射線を生成でき、同時に、円周方向上において、十分な数の焦点が分布する。【選択図】図１
2021532527.tif 000002
【特許請求の範囲】
【請求項１】
弧形多焦点固定陽極ゲート制御放射線源であって、
弧形放射線源ハウジング、線管ブラケット、複数の固定陽極放射線管及び複数のゲート制御スイッチを含み、複数の前記固定陽極放射線管は前記線管ブラケットを介して前記弧形放射線源ハウジングに固定され、複数の前記固定陽極放射線管の焦点は同一分布円に分布し、複数の前記ゲート制御スイッチと複数の前記固定陽極放射線管が対応して連結されることを特徴とする弧形多焦点固定陽極ゲート制御放射線源。
【請求項２】
前記線管ブラケットは、弧形のブラケットであり、前記弧形放射線源ハウジングの内弧壁板に固定され、複数の前記固定陽極放射線管は前記線管ブラケットに固定され、複数の前記固定陽極放射線管の焦点は同一分布円に均一分布することを特徴とする請求項１に記載の弧形多焦点固定陽極ゲート制御放射線源。
【請求項３】
前記線管ブラケットに複数の貫通孔が均一にして開設され、複数の前記固定陽極放射線管の陽極端はそれぞれ前記線管ブラケットの貫通孔から延出し、複数の前記固定陽極放射線管はそれぞれフランジを介して前記線管ブラケットに固定されることを特徴とする請求項１に記載の弧形多焦点固定陽極ゲート制御放射線源。
【請求項４】
前記弧形放射線源ハウジングの内弧壁板と外弧壁板は、それぞれ、複数の前記固定陽極放射線管の焦点が位置する分布円と同心して設置され、
前記弧形放射線源ハウジングの左側板と右側板の延長線は、いずれも複数の前記固定陽極放射線管の焦点が位置する分布円の円心を通過することを特徴とする請求項１に記載の弧形多焦点固定陽極ゲート制御放射線源。
【請求項５】
前記弧形放射線源ハウジングの左側板の外エッジと右側板の外エッジとの間の角度はθ＝３６０°／Ｎとなり、Ｎは正整数であることを特徴とする請求項１に記載の弧形多焦点固定陽極ゲート制御放射線源。
【請求項６】
複数の前記固定陽極放射線管の焦点は、前記同一分布円に対して、角度範囲α内に均一分布し、３６０°≧α＞０°となり、αがθの以下であることを特徴とする請求項５に記載の弧形多焦点固定陽極ゲート制御放射線源。
【請求項７】
α＝θとなる時、同一の前記弧形放射線源ハウジング内に設置されるｎ個の前記固定陽極放射線管において、隣接する両前記固定陽極放射線管の間の角度はθ／ｎとなり、最左側及び最右側の前記固定陽極放射線管と隣接側板の外エッジとの間の角度はθ／２ｎとなることを特徴とする請求項６に記載の弧形多焦点固定陽極ゲート制御放射線源。
【請求項８】
α＜θとなる時、隣接する両前記固定陽極放射線管の間の角度はα／ｎとなることを特徴とする請求項６に記載の弧形多焦点固定陽極ゲート制御放射線源。
【請求項９】
それぞれの前記固定陽極放射線管は独立の前記ゲート制御スイッチが配置され、前記ゲート制御スイッチはブラケットを介して前記固定陽極放射線管の管体に固定され、前記ゲート制御スイッチの出力端は導線を介して前記固定陽極放射線管のゲートに連結されることを特徴とする請求項１に記載の弧形多焦点固定陽極ゲート制御放射線源。
【請求項１０】
請求項１〜９のいずれか１項に記載の複数の弧形多焦点固定陽極ゲート制御放射線源を含み、複数の前記弧形多焦点固定陽極ゲート制御放射線源は接合して全輪構成になり、複数の前記弧形多焦点固定陽極ゲート制御放射線源内の固定陽極放射線管全体の焦点円周は同一分布円に分布することを特徴とするＸ放射線源。
【発明の詳細な説明】
【技術分野】
【０００１】
本発明はＸ放射線源に関し、特に、弧形多焦点固定陽極ゲート制御放射線源に関する。
【背景技術】
【０００２】
静的ＣＴは新規なＣＴ(Ｃｏｍｐｕｔｅｄ  Ｔｏｍｏｇｒａｐｈｙ，コンピュータ断層撮影)技術的方案であり、その全体構成は、全輪センサーと全輪放射線源を用い、円周上の各放射線源焦点タイミング放射線によって、螺旋ＣＴと同じの円周走査の目的を達成する。このような静的ＣＴは論理上、回転部材、ベアリング及び滑車が必要なく、構成が簡単であり、論理円周走査速度が速く、データ伝送速度が速い。
【０００３】
現在、静的ＣＴ分野において、その全輪放射線源のメイン発想は、１．反射式放線を用い、全輪の固定陽極は円周に均一分布する複数の陰極に配合し、円周多焦点の輪形放射線源を構成する。このような構成の全輪陽極は直径が大きいため、製造が困難である。２．透射式放射線を用い、放射線源構成がモジュール化し、モジュールに複数の焦点があり、円周方向に複数の放射線源モジュールが分布することにより全輪構成を実現する。このような構成の放射線強度が低く、実際のテストに不適応である。
【０００４】
このため、十分な強度の放射線を生成させ、円周方向に十分な数の焦点を分布させるように、Ｘ放射線源に対して改善する必要がある。
【発明の概要】
【発明が解決しようとする課題】
【０００５】
本発明が解決しようとする技術的問題は、弧形多焦点固定陽極ゲート制御放射線源を提供することにある。
【課題を解決するための手段】
【０００６】
本発明の目的を実現するために、本発明は以下の技術的方案を用いる。
本発明の実施例の一方によれば、弧形多焦点固定陽極ゲート制御放射線源が提供され、弧形放射線源ハウジング、線管ブラケット、複数の固定陽極放射線管及び複数のゲート制御スイッチを含み、複数の前記固定陽極放射線管は前記線管ブラケットを介して前記弧形放射線源ハウジングに固定され、複数の前記固定陽極放射線管の焦点は同一分布円に分布し、複数の前記ゲート制御スイッチと複数の前記固定陽極放射線管が対応して連結される。
【０００７】
好ましくは、前記弧形放射線源ハウジングの左側板の外エッジと右側板の外エッジとの間の角度はθ＝３６０°／Ｎとなり、Ｎは正整数である。
【０００８】
好ましくは、前記線管ブラケットは、弧形のブラケットであり、前記弧形放射線源ハウジングの内弧壁板に固定され、複数の前記固定陽極放射線管は前記線管ブラケットに固定され、複数の前記固定陽極放射線管の焦点は同一分布円に均一分布する。
【０００９】
好ましくは、前記線管ブラケットに複数の貫通孔が均一にして開設され、複数の前記固定陽極放射線管の陽極端はそれぞれ前記線管ブラケットの貫通孔から延出し、複数の前記固定陽極放射線管はそれぞれフランジを介して前記線管ブラケットに固定される。
【００１０】
好ましくは、前記弧形放射線源ハウジングの内弧壁板と外弧壁板はそれぞれ複数の前記固定陽極放射線管の焦点が位置する分布円と同心して設置される。
前記弧形放射線源ハウジングの左側板と右側板の延長線はいずれも複数の前記固定陽極放射線管の焦点が位置する分布円の円心を通過する。
【００１１】
好ましくは、複数の前記固定陽極放射線管の焦点は同一分布円に対して角度範囲α内に均一分布し、３６０°≧α＞０°となり、αがθの以下である。
【００１２】
好ましくは、α＝θとなる時、同一の前記弧形放射線源ハウジング内に設置されるｎ個の前記固定陽極放射線管において、隣接する両前記固定陽極放射線管の間の角度はθ／ｎとなり、最左側及び最右側の前記固定陽極放射線管と隣接側板の外エッジとの間の角度はθ／２ｎとなる。
【００１３】
好ましくは、α＜θとなる時、隣接する両前記固定陽極放射線管の間の角度はα／ｎとなる。
【００１４】
好ましくは、それぞれの前記固定陽極放射線管は独立の前記ゲート制御スイッチが配置され、前記ゲート制御スイッチはブラケットを介して前記固定陽極放射線管の管体に固定され、前記ゲート制御スイッチの出力端は導線を介して前記固定陽極放射線管のゲートに連結される。
【００１５】
本発明の実施例の他方によれば、複数の前記弧形多焦点固定陽極ゲート制御放射線源を含み、複数の前記弧形多焦点固定陽極ゲート制御放射線源は接合して全輪構成になり、複数の前記弧形多焦点固定陽極ゲート制御放射線源内の固定陽極放射線管全体の焦点円周は同一分布円に分布するＸ放射線源が提供される。
【００１６】
本発明が提供する弧形多焦点固定陽極ゲート制御放射線源は、固定陽極放射線管、ゲート制御スイッチ、線管ブラケット及び弧形放射線源ハウジングを含む。固定陽極放射線管の陽極端は反射式固定陽極ターゲットを用いてＸ線束を生成する。複数の固定陽極放射線管はブラケットを介して弧形放射線源ハウジングに固定される。複数の固定陽極放射線管はある寸法の分布円に対して一定角度範囲内に均一に分布する。複数の弧形放射線源ハウジングは接合して全輪構成になり、これによって、複数の弧形多焦点固定陽極ゲート制御放射線源における固定陽極放射線管全体の焦点を同一分布円に分布させる。この弧形多焦点固定陽極ゲート制御放射線源において、複数のゲート制御スイッチが複数の固定陽極放射線管に対応して接続される。ゲート制御スイッチは固定陽極放射線管回路の導通を制御し、これによって、放射線の制御を実現する。上述した弧形多焦点固定陽極ゲート制御放射線源は、構成が簡単で、コストが低く、十分な強度の放射線を生成でき、同時に、円周方向上において、十分な数の焦点が分布する。
【図面の簡単な説明】
【００１７】
【図１】本発明が提供する弧形多焦点固定陽極ゲート制御放射線源の全体構成を示す図である。
【図２】図１において固定陽極放射線管と線管ブラケットの連結を示す図である。
【図３Ａ】固定陽極放射線管とゲート制御スイッチの連結構成を示す正面図である。
【図３Ｂ】固定陽極放射線管とゲート制御スイッチの連結構成を示す側面図である。
【図４】複数の弧形多焦点固定陽極ゲート制御放射線源により構成される輪全体構成を示す図である。
【発明を実施するための形態】
【００１８】
以下、図面と具体的な実施例を参照しながら、本発明の技術的内容を詳細に説明する。
【００１９】
図１に示すように、本発明が提供する弧形多焦点固定陽極ゲート制御放射線源（arc-shaped multi-focal point fixed anode gate controlled ray source）は、弧形放射線源ハウジング１と、線管ブラケット２と、複数の固定陽極放射線管３と、複数のゲート制御スイッチ４とを含む。複数の固定陽極放射線管３は、線管ブラケット２により弧形放射線源ハウジング１に固定される。複数の固定陽極放射線管３の焦点は同一分布円に分布される。好ましくは、複数の固定陽極放射線管３の焦点は同一分布円に対して、一定角度範囲α(３６０°≧α＞０°)内に均一に分布する。複数のゲート制御スイッチ４と複数の固定陽極放射線管３が対応して連結され、複数の固定陽極放射線管３の導通を制御する。
【００２０】
以下、図１に示す方位を例として、弧形多焦点固定陽極ゲート制御線源の具体的な構成を説明する。
【００２１】
具体的には、図１に示すように、弧形放射線源ハウジング１は、内弧壁板、外弧壁板、左側板、右側板、前側板及び後側板から構成される封閉式ハウジングである。線管ブラケット２、複数の固定陽極放射線管３及び複数のゲート制御スイッチ４はいずれも弧形放射線源ハウジング１の内部に設置される。弧形放射線源ハウジング１の左側板の外エッジと右側板の外エッジの間の角度θは０°〜３６０°範囲内の任意値である。好ましくは、θが３６０°／Ｎであり、Ｎが正整数であり、例えば、θが４５°、６０°、９０°、１８０°等である。θ＝３６０°／Ｎ、且つＮ＞１となる時、Ｎ個の弧形放射線源ハウジング１を円周の周りに接合させ、Ｎ個の弧形多焦点固定陽極ゲート制御放射線源を全輪構成にさせ、これによって、複数の固定陽極放射線管３の焦点を同一の分布円に分布させる。θ＝３６０°／Ｎ、且つＮ＝１となる時、弧形放射線源ハウジング全輪構成となり、左側板と右側板は論理的に存在しないことを理解されたい。
【００２２】
図２に示すように、線管ブラケット２は弧形のブラケットであり、線管ブラケット２はボルト等の連結部材を介して弧形放射線源ハウジング１の内弧壁板に固定される。複数の固定陽極放射線管３は線管ブラケット２に固定される。
【００２３】
線管ブラケット２には複数の貫通孔が均一にして開設され、複数の固定陽極放射線管３の陽極端はそれぞれ線管ブラケット２の貫通孔から延出し、且つ、複数の固定陽極放射線管３はそれぞれフランジを介して線管ブラケット２に固定される。実際の構成で、固定陽極放射線管３の線管ブラケット２における固定位置と角度を微調整することにより、複数の固定陽極放射線管３の焦点を同一円に調節させる。以下、複数の固定陽極放射線管３の焦点を経た円を複数の固定陽極放射線管３の分布円と称する。
【００２４】
弧形放射線源ハウジング１の内外両端面はいずれも弧面であり、且つ内弧壁板と外弧壁板はそれぞれ複数の固定陽極放射線管３の分布円と同心にして設置される。当然、近似同心にして設置されてもよい。好ましくは、同心設置である。弧形放射線源ハウジング１の左右端面はθ角度となり、且つ、左側板及び右側板の延長線はいずれも複数の固定陽極放射線管３の分布円の円心を通過する。
【００２５】
複数の固定陽極放射線管３の焦点はこの分布円に対して一定角度範囲α内に均一分布する。この角度範囲αは弧形放射線源ハウジング１の左側板外エッジと右側板外エッジとの間の角度θの以下である。実際の構成において、左側板と右側板の壁厚が小さく、且つ弧形放射線源ハウジング１内に設置される固定陽極放射線管３の数が少ない時、αとθは近似相当する。好ましくは、同一の弧形放射線源ハウジング１内に設置されるｎ個の固定陽極放射線管３において、隣接する２個の固定陽極放射線管３の間の角度はθ／ｎであり、最左側及び最右側の固定陽極放射線管３と隣接側板の外エッジとの間の角度はθ／２ｎである。左側板と右側板の壁厚が大きく、または弧形放射線源ハウジング１内に設置される固定陽極放射線管３の数が多い時、αがθより小さい。隣接する２個の固定陽極放射線管３の間の角度はα／ｎであり、最左側及び最右側の固定陽極放射線管３と隣接側板の外エッジとの間の角度はα／２ｎより大きくてもよく、α／２ｎより小さくてもよい。
【００２６】
本発明に使用される固定陽極放射線管３の陽極端は反射式固定陽極ターゲットを用いてＸ線束を生成する。固定陽極放射線管３の両端はそれぞれ陽極端および陰極端であり、固定陽極放射線管３内の陰極に隣接する位置にはゲートが設置される。図３Ａおよび図３Ｂに示すように、それぞれの固定陽極放射線管３はいずれも独立のゲート制御スイッチ４が配置される。ゲート制御スイッチ４はブラケットを介して固定陽極放射線管３の管体に固定され、且つ、ゲート制御スイッチ４の出力端が導線を介して固定陽極放射線管３のゲートに連結され、固定陽極放射線管３の導通を制御し、これによって、放射線の制御を実現する。陽極端を経て反射した後に射出したＸ線束５は図３Ａ及び３Ｂに示す。当然、隣接する複数の固定陽極放射線管３の導通は同一ゲート制御スイッチ４により制御されてもよい。しかしながら、前記複数の種類の制御方式において、図面に示す固定陽極放射線管３とゲート制御スイッチ４がペアとなって対応する制御方式は好ましい。
【００２７】
図４に示すように、Ｎ個の弧形放射線源ハウジング１の左側板と右側板の始めと終わりを接続させ、Ｎ個の弧形多焦点固定陽極ゲート制御放射線源を「全輪構成」にすることによって、複数の固定陽極放射線管３の焦点を同一分布円に分布させ、できる限り均一に分布させる。全輪構成におけるゲート制御スイッチ４を制御することによって、固定陽極放射線管３は順にＸ線束を射出し、これによって、３６０°方向上の順次放射線走査を実現する。この全輪構成において、それぞれの固定陽極放射線管３が射出したＸ線束５はいずれも全輪の中心に照射する。
【００２８】
同一の弧形放射線源ハウジング１内に設置される隣接両固定陽極放射線管３の間の角度はθ／ｎであり、最左側及び最右側の固定陽極放射線管３と隣接側板の外エッジとの間の角度はθ／２ｎである時、Ｎ個の弧形多焦点固定陽極ゲート制御放射線源を全輪構成にすることによって、Ｎ個の弧形多焦点固定陽極ゲート制御放射線源内の固定陽極放射線管３の焦点を分布円に均一に分布させる。同一の弧形放射線源ハウジング１内に設置される隣接両固定陽極放射線管３の間の角度が他の値である時、Ｎ個の弧形多焦点固定陽極ゲート制御放射線源により構成される全輪構成において、Ｎ個の弧形放射線源ハウジング１内の固定陽極放射線管３の焦点は全部、同一の分布円に分布させ、且つ、それぞれの弧形放射線源ハウジング１内の複数の固定陽極放射線管３の焦点は均一に分布する。
【００２９】
本発明が提供する弧形多焦点固定陽極ゲート制御放射線源は、固定陽極放射線管、ゲート制御スイッチ、線管ブラケット及び弧形放射線源ハウジングを含む。固定陽極放射線管がＸ線束を射出できる。複数の固定陽極放射線管は線管ブラケットを介して弧形放射線源ハウジングに固定される。複数の固定陽極放射線管はある寸法の分布円に対して一定角度範囲内に均一に分布する。複数の弧形放射線源ハウジングは接合して全輪構成になり、これによって、複数の弧形多焦点固定陽極ゲート制御放射線源における固定陽極放射線管全体の焦点を同一分布円に分布させる。この弧形多焦点固定陽極ゲート制御放射線源において、複数のゲート制御スイッチが複数の固定陽極放射線管に対応して接続される。ゲート制御スイッチは固定陽極放射線管回路の導通を制御し、これによって、放射線の制御を実現する。上述した弧形多焦点固定陽極ゲート制御放射線源は、構成が簡単で、コストが低く、十分な強度の放射線を生成でき、同時に、円周方向上において、十分な数の焦点が分布する。この放射線源は静的ＣＴシステムに応用できる。
【００３０】
以上、本発明が提供する弧形多焦点固定陽極ゲート制御放射線源は詳細に説明される。当業者にとって、本発明の本質から逸脱することなく本発明に対して行われた明らかな変更は、本発明の特許権の侵害を構成し、対応する法的責任を負うことになる。
【図１】
2021532527.tif 000003
【図２】
2021532527.tif 000004
【図３Ａ】
2021532527.tif 000005
【図３Ｂ】
2021532527.tif 000006
【図４】
2021532527.tif 000007
【国際調査報告】
2021532527.tif 000008
2021532527.tif 000009
2021532527.tif 000010
2021532527.tif 000011